(57)【要約】  【課題】早送り／巻戻し時に音声と画像が判りやすく、所望の再生箇所に簡単に移動することが可能な動画再生装置を提供する。  【解決手段】表示・操作部９の巻戻し釦が押下されると、ＣＰＵ１１は動画メモリ２から音声及び画像データを読み出し、音声は一秒再生後、５秒前に戻り１秒再生を繰り返し、画像は現在再生中の部分から４倍速の早巻戻しを実施することにより、音声と同期した画像を表示・操作部９に表示する。また、早送り釦が押下されると、同様に、動画メモリ２から音声及び画像データを読み出し、音声は一秒再生後、４秒先に進み１秒再生を繰り返し、画像は現在再生中の部分から５倍速の早送りを実施することにより、音声と同期した早送り画像を表示・操作部９に表示する。  【選択図】図１
2006060752.tif 000002
【特許請求の範囲】
【請求項１】
画像情報、音声情報を記憶する記憶手段と、前記記憶手段に記憶された画像情報、音声情報の読出しを制御する制御手段と、動画の早送り、巻戻し等の操作を入力するための入力手段とを備えた動画再生装置であって、
上記入力手段から巻戻しが指示された場合、上記制御手段が上記記憶手段から画像を高速に逆方向に読み出すとともに、その画像と同期した音声を一定間隔で正方向に細切れ出力することを特徴とする動画再生装置。
【請求項２】
画像情報、音声情報を記憶する記憶手段と、前記記憶手段に記憶された画像情報、音声情報の読出しを制御する制御手段と、動画の早送り、巻戻し等の操作を入力するための入力手段とを備えた動画再生装置であって、
上記入力手段から早送りが指示された場合、上記制御手段が上記記憶手段から画像を高速に正方向に読み出すとともに、その画像と同期した音声を一定間隔で正方向に細切れ出力することを特徴とする動画再生装置。
【請求項３】
請求項１または請求項２に記載の動画再生装置において、
上記早送り、または巻戻し時の音声を出力する間隔を上記入力手段により任意に設定できることを特徴とする動画再生装置。
【請求項４】
請求項１または請求項２に記載の動画再生装置において、
上記早送り、または巻戻し時の音声を出力する時間を上記入力手段により任意に設定できることを特徴とする動画再生装置。
【請求項５】
請求項１または請求項２に記載の動画再生装置において、
上記早送り、または巻戻し時の画像の読出し速度を上記入力手段により任意に設定できることを特徴とする動画再生装置。
【請求項６】
画像情報、音声情報を記憶する記憶手段と、前記記憶手段に記憶された画像情報、音声情報の読出しを制御する制御手段と、動画の早送り、巻戻し等の操作を入力するための入力手段とを備えた動画再生装置であって、
上記入力手段から巻戻しが指示された場合、上記制御手段が上記記憶手段から画像を逆方向にコマ送りで読み出すとともに、その画像と同期した音声をコマ送りの間隔で正方向に細切れ出力することを特徴とする動画再生装置。
【請求項７】
画像情報、音声情報を記憶する記憶手段と、前記記憶手段に記憶された画像情報、音声情報の読出しを制御する制御手段と、動画の早送り、巻戻し等の操作を入力するための入力手段とを備えた動画再生装置であって、
上記入力手段から早送りが指示された場合、上記制御手段が上記記憶手段から画像を正方向にコマ送りで読み出すとともに、その画像と同期した音声をコマ送りの間隔で正方向に細切れ出力することを特徴とする動画再生装置。
【請求項８】
請求項６または請求項７に記載の動画再生装置において、
上記早送り、または巻戻し時の画像のコマ送り間隔を上記入力手段により任意に設定できることを特徴とする動画再生装置。
【請求項９】
請求項６または請求項７に記載の動画再生装置において、
上記早送り、または巻戻し時に、上記制御手段が上記記憶手段から画像を連続して読み出すことが可能であり、上記入力手段により画像のコマ送りと連続読出しを選択できることを特徴とする動画再生装置。
【請求項１０】
請求項６または請求項７に記載の動画再生装置において、
上記早送り、または巻戻し時に、上記制御手段が上記記憶手段から画像を連続して読み出すことが可能であり、早送り、または巻戻し時に、上記制御手段が一定期間画像を連続して出力し、一定期間経過後、画像をコマ送りすることを特徴とする動画再生装置。
【請求項１１】
請求項１０に記載の動画再生装置において、
上記早送り、または巻戻し時に、上記画像を連続出力する一定期間を上記入力手段により任意に設定できることを特徴とする動画再生装置。
【請求項１２】
画像情報、音声情報を記憶する記憶手段と、前記記憶手段に記憶された画像情報、音声情報の読出しを制御する制御手段と、動画のスキップ等の操作を入力するための入力手段とを備えた動画再生装置であって、
上記入力手段からスキップが指示された場合、上記制御手段が上記記憶手段から一定期間先または一定期間後の画像と音声にスキップして読み出すことを特徴とする動画再生装置。
【請求項１３】
請求項１２に記載の動画再生装置において、
上記スキップする一定期間を上記入力手段により任意に設定できることを特徴とする動画再生装置。
【請求項１４】
請求項１２に記載の動画再生装置において、上記入力手段が早送り釦及び巻戻し釦を備え、上記早送り釦または巻戻し釦が短押しされた場合、上記制御手段が一定期間先または一定期間後の画像と音声にスキップすることを特徴とする動画再生装置。
【請求項１５】
請求項１４に記載の動画再生装置において、
上記早送り釦または巻戻し釦が押された時間に応じて、上記制御手段がスキップする一定期間を変更することを特徴とする動画再生装置。
【請求項１６】
請求項１２に記載の動画再生装置において、
上記スキップが複数回指示された場合、上記制御手段が一定期間先または一定期間後の画像と音声にスキップし、画像を静止表示するとともに、一定時間音声を正方向にて出力し、一定時間が経過すると、さらにスキップすることを特徴とする動画再生装置。
【発明の詳細な説明】
【技術分野】
【０００１】
本発明は、再生装置、特に、画像、音声の巻戻し、早送り機構を備えた動画再生装置に関する。
【背景技術】
【０００２】
従来より、動画再生装置として、ビデオテープに録画された映画やＴＶ番組等の動画情報を再生可能なビデオデッキが普及しているが、最近は、ＤＶＤ（Digital  Video  Disc）再生装置やハードディスクにデジタルデータとしての動画を記録し、再生するデジタルビデオデッキも普及してきている。このような動画再生装置には、通常、動画の早送り機能や巻戻し機能が備えられている（例えば、特許文献１参照。）。
【特許文献１】特開平８−３３１５１４号公報。
【０００３】
このような動画の早送り機能や巻戻し機能を実行する場合、再生中にユーザが早送り釦あるいは巻戻し釦を押下すると、この釦を押下している間、再生または巻戻しスピードが通常の再生スピードの数倍程度になり、動画情報は連続的に正方向または逆方向に再生される。
【発明の開示】
【発明が解決しようとする課題】
【０００４】
上記のように、動画再生装置では、再生中に巻戻しまたは早送りを行うと、通常の再生スピードの数倍程度の再生スピードになるので、ユーザは画像を理解することが困難であり、また、画像を理解でき、所望の場面で巻戻しを止めても再生位置は目的とした再生位置よりはるかに過ぎていることになり、希望の再生位置で止めることは困難であった。
【０００５】
また、ニュース等の平坦で変化が少ない画像では、音声を頼りに巻戻し／早送りを行うが、トーンが同じに聞こえ、どの辺りを送っているのか判断がつき難く、特に、巻戻し時には音声が声になっておらず、音声で希望の再生位置を探すことは難しかった。
一方、今再生している箇所よりかなり前、もしくは後を再生したい場合、ユーザは早送り／巻戻し釦を押し続けなければ、所望の再生位置に移動できないという問題もあった。
【０００６】
本発明は、上記の問題に鑑みてなされたもので、早送り／巻戻し時に音声と画像が判りやすく、所望の再生箇所に簡単に移動することが可能な動画再生装置を提供することを目的とする。
【課題を解決するための手段】
【０００７】
上述の目的を達成するため、本発明に係る動画再生装置（１）は、
画像情報、音声情報を記憶する記憶手段と、前記記憶手段に記憶された画像情報、音声情報の読出しを制御する制御手段と、動画の早送り、巻戻し等の操作を入力するための入力手段とを備えた動画再生装置であって、
上記入力手段から巻戻しが指示された場合、上記制御手段が上記記憶手段から画像を高速に逆方向に読み出すとともに、その画像と同期した音声を一定間隔で正方向に細切れ出力することを特徴とする。
【０００８】
また、本発明に係る動画再生装置（２）は、
画像情報、音声情報を記憶する記憶手段と、前記記憶手段に記憶された画像情報、音声情報の読出しを制御する制御手段と、動画の早送り、巻戻し等の操作を入力するための入力手段とを備えた動画再生装置であって、
上記入力手段から早送りが指示された場合、上記制御手段が上記記憶手段から画像を高速に正方向に読み出すとともに、その画像と同期した音声を一定間隔で正方向に細切れ出力することを特徴とする。
【０００９】
さらに、本発明に係る動画再生装置（３）は、動画再生装置（１）または（２）において、
上記早送り、または巻戻し時の音声を出力する間隔を上記入力手段により任意に設定できることを特徴とする。
【００１０】
また、本発明に係る動画再生装置（４）は、動画再生装置（１）または（２）において、
上記早送り、または巻戻し時の音声を出力する時間を上記入力手段により任意に設定できることを特徴とする。
【００１１】
さらに、本発明に係る動画再生装置（５）は、動画再生装置（１）または（２）において、
上記早送り、または巻戻し時の画像の読出し速度を上記入力手段により任意に設定できることを特徴とする。
【００１２】
また、本発明に係る動画再生装置（６）は、
画像情報、音声情報を記憶する記憶手段と、前記記憶手段に記憶された画像情報、音声情報の読出しを制御する制御手段と、動画の早送り、巻戻し等の操作を入力するための入力手段とを備えた動画再生装置であって、
上記入力手段から巻戻しが指示された場合、上記制御手段が上記記憶手段から画像を逆方向にコマ送りで読み出すとともに、その画像と同期した音声をコマ送りの間隔で正方向に細切れ出力することを特徴とする。
【００１３】
また、本発明に係る動画再生装置（７）は、
画像情報、音声情報を記憶する記憶手段と、前記記憶手段に記憶された画像情報、音声情報の読出しを制御する制御手段と、動画の早送り、巻戻し等の操作を入力するための入力手段とを備えた動画再生装置であって、
上記入力手段から早送りが指示された場合、上記制御手段が上記記憶手段から画像を正方向にコマ送りで読み出すとともに、その画像と同期した音声をコマ送りの間隔で正方向に細切れ出力することを特徴とする。
【００１４】
さらに、本発明に係る動画再生装置（８）は、動画再生装置（６）または（７）において、
上記早送り、または巻戻し時の画像のコマ送り間隔を上記入力手段により任意に設定できることを特徴とする。
【００１５】
さらに、本発明に係る動画再生装置（９）は、動画再生装置（６）または（７）において、
上記早送り、または巻戻し時に、上記制御手段が上記記憶手段から画像を連続して読み出すことが可能であり、上記入力手段により画像のコマ送りと連続読出しを選択できることを特徴とする。
【００１６】
また、本発明に係る動画再生装置（１０）は、動画再生装置（６）または（７）において、
上記早送り、または巻戻し時に、上記制御手段が上記記憶手段から画像を連続して読み出すことが可能であり、早送り、または巻戻し時に、上記制御手段が一定期間画像を連続して出力し、一定期間経過後、画像をコマ送りすることを特徴とする。
【００１７】
さらに、本発明に係る動画再生装置（１１）は、動画再生装置（１０）において、
上記早送り、または巻戻し時に、上記画像を連続出力する一定期間を上記入力手段により任意に設定できることを特徴とする。
【００１８】
また、本発明に係る動画再生装置（１２）は、
画像情報、音声情報を記憶する記憶手段と、前記記憶手段に記憶された画像情報、音声情報の読出しを制御する制御手段と、動画のスキップ等の操作を入力するための入力手段とを備えた動画再生装置であって、
上記入力手段からスキップが指示された場合、上記制御手段が上記記憶手段から一定期間先または一定期間後の画像と音声にスキップして読み出すことを特徴とする。
【００１９】
また、本発明に係る動画再生装置（１３）は、動画再生装置（１２）において、
上記スキップする一定期間を上記入力手段により任意に設定できることを特徴とする。
【００２０】
また、本発明に係る動画再生装置（１４）は、動画再生装置（１２）において、
上記入力手段が早送り釦及び巻戻し釦を備え、上記早送り釦または巻戻し釦が短押しされた場合、上記制御手段が一定期間先または一定期間後の画像と音声にスキップすることを特徴とする。
【００２１】
また、本発明に係る動画再生装置（１５）は、動画再生装置（１４）において、
上記早送り釦または巻戻し釦が押された時間に応じて、上記制御手段がスキップする一定期間を変更することを特徴とする。
【００２２】
また、本発明に係る動画再生装置（１６）は、動画再生装置（１２）において、
上記スキップが複数回指示された場合、上記制御手段が一定期間先または一定期間後の画像と音声にスキップし、画像を静止表示するとともに、一定時間音声を正方向にて出力し、一定時間が経過すると、さらにスキップすることを特徴とする。
【発明の効果】
【００２３】
本発明に係る動画再生装置（１）、（２）によれば、巻き戻し時に巻戻し画像に同期した前向きの再生音声が加わり、早送り時には、早送り画像と同時に細切れの等倍再生音声が加わるので、巻戻し中、早送り中のシーンのイメージを直感的に感じやすく、所望の再生箇所に移動することが容易となる。また、本発明に係る動画再生装置（３）〜（５）によれば、早送り／巻戻しの音声間隔、音声再生時間あるいは画像の読出し速度をユーザが設定することができるので、ユーザの好みに応じて聞き取りやすい音声に調整することが可能となる。
【００２４】
また、本発明に係る動画再生装置（６）、（７）によれば、巻き戻し時に静止画が表示されるとともに、その静止画に同期した前向きの再生音声が出力され、早送り時には、静止画と同時に細切れの等倍再生音声が加わるので、巻戻し中、早送り中のシーンが見やすく、所望の再生箇所に移動することがさらに容易となる。また、本発明に係る動画再生装置（８）によれば、早送り、巻戻しのコマ送り間隔をユーザが設定することができるので、ユーザが見易い動画に調整することが可能となる。
【００２５】
さらに、本発明に係る動画再生装置（９）によれば、巻戻し／早送り時にユーザの好みに応じて画像のコマ送りか連続早送り／戻しかを選択することができ、また、本発明に係る動画再生装置（１０）によれば、画像の連続早送り／戻しからコマ送り、コマ戻しに自動的に変化するので目的の再生箇所に早くたどりつくことが可能である。さらに、本発明に係る動画再生装置（１１）によれば、画像の連続早送り／戻しからコマ送り、コマ戻しに変化する時間をユーザが任意に設定できるので、使用目的に応じて時間を変更することができる。
【００２６】
また、本発明に係る動画再生装置（１２）によれば、一押しで数秒先にスキップするため、目的の場面に簡単にたどりつけ、また、本発明に係る動画再生装置（１３）によれば、ユーザの好みでスキップ時間を設定でき、良く使う時間等に設定することで、目的の場面にさらに簡単にたどりつくことができる。さらに、本発明に係る動画再生装置（１４）によれば、釦を兼用することができ、釦の数を減らすことが可能となる。
また、本発明に係る動画再生装置（１５）によれば、一度に目的の時間まで送るか巻戻すことができるので、目的の場面までの遷移時間を短くすることができ、さらに、本発明に係る動画再生装置（１６）によれば、目的の場面までの遷移時間を短くすることができるとともに、スキップ毎に
静止画と前向きの再生音声が出力されるので、スキップ中の再生箇所を容易に把握することができる。
【実施例】
【００２７】
以下、本発明の動画再生装置の実施例について、図面を用いて説明する。
図１は動画再生装置の構成を示すブロック図であり、この動画再生装置は、制御部１、動画メモリ２、デコーダ３、音声再生回路４、画像再生回路５、Ｄ／Ａ変換回路６、７、スピーカ８、表示・操作部９から構成されている。
制御部1はＣＰＵ１１、ＲＯＭ１２、ＲＡＭ１３を備え、ＣＰＵ１１は動画再生装置のハードウェア各部を制御するとともに、ＲＯＭ１２に記憶されたプログラムに基づいて各種のプログラムを実行する。ＲＯＭ１２は動画再生装置の動作に必要な種々のプログラムを予め記憶しており、ＲＡＭ１３はＳＲＡＭ等で構成され、プログラムの実行時に発生する一時的なデータを記憶する。
【００２８】
動画メモリ２は、制御部１の制御により外部の記録媒体１０から供給される、例えば、ＭＰＥＧにより圧縮された動画情報を記憶し、動画の再生、早送りあるいは巻戻し等により再生位置が変動した場合には、その再生位置に応じて記録媒体１０から新たな動画情報を読み込む。なお、動画メモリ２のメモリ容量が大容量であれば、再生すべき全ての動画情報を取り込んでおくことも可能である。
この動画メモリ２は図２に示すように、画像ブロックと音声ブロックに分割され、画像データはフレームデータ１〜Ｎに分割して記憶され、また、音声データはサウンドブロック１〜Ｎに分割して記憶されている。さらに、各サウンドブロックは図３に示すように、サウンドサンプル１〜サウンドサンプル１３２３に分割して記憶されている。
【００２９】
デコーダ３はＭＰＥＧ圧縮された音声データ及び画像データを伸張復元し、このデコーダ３により伸張復元された音声データが音声再生回路４、Ａ／Ｄ変換回路６を介してスピーカ８に入力される。また、デコーダ３により伸張復元された画像データは画像再生回路５、Ｄ／Ａ変換回路７を介して表示・操作部９に入力され、表示・操作部９の表示部に映像が表示される。
この表示・操作部９は図４に示すような表示・操作パネルよりなり、中央部にＬＣＤ表示部１４が配置され、その周囲に複数の操作キーが設けられている。ＬＣＤ表示部１４には、タッチパネルスイッチが配設され、ＬＣＤ表示部１４に表示された項目部分を押下することで、対応する項目の選択や機能の実行を行うことができる。また、このＬＣＤ表示部１４の周囲に操作キーとして、巻戻し釦１５、早送り釦１６、後スキップ釦１７、前スキップ釦１８、時間設定釦１９等が設けられている。
ＬＣＤ表示部１４は動画再生装置からの映像を表示したり、種々の機能の操作画面の表示を行い、このＬＣＤ表示部１４で操作された結果や操作キーからの操作情報が制御部１に入力され、制御部１からの操作画面等が表示・操作部９に入力される。
【００３０】
次に、動画再生中に巻戻し、または早送りを行う場合の作用について、図５のフローチャートを用いて説明する。
制御装置１のＣＰＵ１１は動画再生中、図５のフローチャートに示すプログラムを繰り返し実行しており、プログラムを開始すると、ＣＰＵ１１は、巻戻し釦１５が押下されたか否かを判別する（ステップ１０１）。巻戻し釦１５が押下されていないと判別した場合には、ＣＰＵ１１は早送り釦１６が押下されたか否かを判別し（ステップ１０２）、早送り釦１６も押下されていないと判別した場合には、ステップ１０１に戻る。
【００３１】
一方、ステップ１０１において、巻戻し釦１５が押下されたと判別した場合、ＣＰＵ１１は動画メモリ２の音声ブロックの中の再生中のサウンドブロックから３０ブロックを読み出した後、１５０サウンドブロック戻った箇所から３０サウンドブロックの読み出しを繰り返し、読み出したデータをデコーダ３、音声再生回路４、Ｄ／Ａ変換回路６を介してスピーカ８に入力する（ステップ１０３）。これと同時に、ＣＰＵ１１は動画メモリ２の画像ブロックの４フレームデータ中に１フレームデータの割合でデータを逆方向に読み出し、読み出したデータをデコーダ３、画像再生回路５、Ｄ／Ａ変換回路７を介して表示・操作部９に入力する（ステップ１０４）。
【００３２】
これにより、図６に示すように、例えば、音声は一秒再生後、５秒前に戻り１秒再生を繰り返し、画像は現在再生中の部分から４倍速の早巻戻しが実施されるので、音声と同期した画像が表示部１４に表示される。
この巻戻し動作中、ＣＰＵ１１は巻戻し釦１５がオフされたか否かを常時判定しており（ステップ１０５）、巻戻し釦が押下されたままであれば、巻戻し動作を継続し、巻戻し釦１５がオフになれば、その時点で巻戻し動作を中止してプログラムを終了し、通常の再生状態に戻る。
【００３３】
また、ステップ１０２において、早送り釦１６が押下されたと判別した場合、動画メモリ２の音声ブロックの中の再生中のサウンドブロックから３０ブロックを読み出した後、１２０サウンドブロック進んだ箇所から３０サウンドブロックの読み出しを繰り返し、読み出したデータをデコーダ３、音声再生回路４、Ｄ／Ａ変換回路６を介してスピーカ８に入力する。これと同時に、ＣＰＵ１１は動画メモリ２の画像ブロックの５フレームデータ中に１フレームデータの割合でデータを正方向に読み出し、読み出したデータをデコーダ３、画像再生回路５、Ｄ／Ａ変換回路７を介して表示・操作部９に入力する。
【００３４】
これにより、図７に示すように、例えば、音声は一秒再生後、４秒先に進み１秒再生を繰り返し、画像は現在再生中の部分から５倍速の早送りが実施されるので、音声と同期した画像が表示部１４に表示される。
この早送り動作中、上記の巻戻し動作と同様に、ＣＰＵ１１は早送り釦
１６がオフされたか否かを常時判定しており（ステップ１０８）、早送り釦１６が押下されたままであれば、早送り動作を継続し、早送り釦１６がオフになれば、その時点で早送り動作を中止してプログラムを終了し、通常の再生状態に戻る。
以上のように、巻き戻し時に巻戻し画像に同期した前向きの再生音声が加わり、早送り時には、早送り画像と同時に細切れの等倍再生音声が加わるので、巻戻し中、早送り中のシーンのイメージを直感的に感じやすく、また、その再生位置で音声が一秒間通常の再生状態となるので、所望の再生箇所で止めることが容易となる。
【００３５】
上記の実施例では、巻戻しの場合、音声を１秒再生、５秒戻るとした例を説明したが、これらの時間をユーザが任意に設定できるようにすることもできる。
例えば、ユーザが時間設定釦１９を押下すると、表示部１４に図８に示す巻戻し時間設定画面が表示され、この画面のスキップ時間及び再生時間の右側に表示されたスクロールボタンのいずれかを押下することにより、図６のスキップ時間ｔ１、再生時間ｔ２を秒単位で変更することができる。また、表示部１４の下部に「画面切替」欄を設け、この欄を押下することにより、同様な早送り時間設定画面を表示するようにしておけば、図７の早送りのスキップ時間ｔ３及び再生時間ｔ４も同様に変更することが可能になる。なお、この場合には、設定されたスキップ時間と再生時間に応じて画像の読出し速度を変更する。
【００３６】
また、図９に示すように、画像の早送りまたは巻戻しの速度をユーザが任意に設定できるようにすることもでき、この場合には、設定された速度に応じてスキップ時間と再生時間を、例えば、４対１となるように演算して決定する。
【００３７】
上記の実施例では、巻戻しまたは早送り中、画像を連続的に変化させたが、画像をコマ送りにすることもでき、このように画像をコマ送りにすれば、静止画が表示されるので、探したい箇所を容易に見つけることが可能となる。
以下、巻戻し、または早送り時に画像をコマ送りする場合の作用について、図１０のフローチャートを用いて説明する。
【００３８】
制御装置１のＣＰＵ１１は動画再生中、同様に、図１０のフローチャートに示すプログラムを繰り返し実行しており、プログラムを開始すると、ＣＰＵ１１は、巻戻し釦１５が押下されたか否かを判別する（ステップ２０１）。巻戻し釦１５が押下されていないと、判別した場合には、ＣＰＵ１１は早送り釦１６が押下されたか否かを判別し（ステップ２０２）、早送り釦１６も押下されていないと判別した場合には、ステップ２０１に戻る。
【００３９】
一方、ステップ２０１において、巻戻し釦１５が押下されたと判別した場合、ＣＰＵ１１は動画メモリ２の音声ブロックの中の再生中のサウンドブロックから３０ブロックを読み出した後、１５０サウンドブロック戻った箇所から３０サウンドブロックの読み出しを繰り返し、読み出したデータをデコーダ３、音声再生回路４、Ｄ／Ａ変換回路６を介してスピーカ８に入力する（ステップ２０３）。これと同時に、ＣＰＵ１１は動画メモリ２の画像ブロックの逆方向に１２０フレーム中に１フレームの割合で同一データを繰り返し読み出し、読み出したデータをデコーダ３、画像再生回路５、Ｄ／Ａ変換回路７を介して表示・操作部９に入力する（ステップ２０４）
【００４０】
これにより、図１１に示すように、例えば、音声は一秒再生後、５秒前に戻り１秒再生を繰り返し、画像は現在再生中の部分から４秒間隔で静止画が表示部１４に表示されるので、静止画付近の音声を出力することができる。
この巻戻し動作中、上記と同様に、ＣＰＵ１１は巻戻し釦１５がオフされたか否かを常時判定しており（ステップ２０５）、巻戻し釦１５が押下されたままであれば、巻戻し動作を継続し、巻戻し釦１５がオフになれば、その時点で巻戻し動作を中止してプログラムを終了し、通常の再生状態に戻る。
【００４１】
また、ステップ２０２において、早送り釦１６が押下されたと判別した場合、ＣＰＵ１１は動画メモリ２の音声ブロックの中の再生中のサウンドブロックから３０ブロックを読み出した後、１２０サウンドブロック進んだ箇所から３０サウンドブロックの読み出しを繰り返し、読み出したデータをデコーダ３、音声再生回路４、Ｄ／Ａ変換回路６を介してスピーカ８に入力する。これと同時に、ＣＰＵ１１は動画メモリ２の画像ブロックの正方向に１５０フレーム中に１フレームの割合で同一データを繰り返し読み出し、読み出したデータをデコーダ３、画像再生回路５、Ｄ／Ａ変換回路７を介して表示・操作部９に入力する。
【００４２】
これにより、図１２に示すように、例えば、音声は一秒再生後、４秒先に進み１秒再生を繰り返し、画像は現在再生中の部分から５秒間隔で静止画が表示部１４に表示されるので、静止画付近の音声を出力することができる。
この早送り動作中、同様に、ＣＰＵ１１は早送り釦１６がオフされたか否かを常時判定しており（ステップ２０８）、早送り釦１６が押下されたままであれば、早送り動作を継続し、早送り釦１６がオフになれば、その時点で早送り動作を中止してプログラムを終了し、通常の再生状態に戻る。
以上のように、巻き戻し時に静止画が表示されるとともに、その静止画に同期した前向きの再生音声が出力され、早送り時には、静止画と同時に細切れの等倍再生音声が加わるので、巻戻し中、早送り中のシーンを容易に認識することができる。
【００４３】
この実施例でも、図８と同様な時間設定画面により、巻戻しと早送りの音声のスキップ時間及び再生時間を変更できるようにすることができ、また、静止画像のコマ送りの間隔をユーザが設定できようにすることもでき、この場合には、そのコマ送り間隔に応じて音声のスキップ時間と再生時間を決定する。
さらに、画像のコマ送り／戻し設定と連続早送り／戻しの両方を実施できるようにしておき、ユーザによりいずれかを選択させるようにすることも可能である。
【００４４】
また、巻戻しまたは早送り中、当初は画像を連続的に送り、一定時間後から画像をコマ送りにすることもでき、このように当初は画像を連続的に変化させ早送りまたは巻戻し速度を早くすれば、目的の再生箇所に早く到達することが可能となる。
以下、巻戻しまたは早送り中、当初は画像を連続的に送り、一定時間後から画像をコマ送りする場合の作用について、図１３のフローチャートを用いて説明する。
【００４５】
制御装置１のＣＰＵ１１は動画再生中、同様に、図１３のフローチャートに示すプログラムを繰り返し実行しており、プログラムを開始すると、ＣＰＵ１１は、巻戻し釦１５が押下されたか否かを判別する（ステップ３０１）。巻戻し釦１５が押下されていないと、判別した場合には、ＣＰＵ１１は早送り釦１６が押下されたか否かを判別し（ステップ３０２）、早送り釦１６も押下されていないと判別した場合には、ステップ３０１に戻る。
【００４６】
一方、ステップ３０１において、巻戻し釦１５が押下されたと判別した場合、ＣＰＵ１１は動画メモリ２の音声ブロックの中の再生中のサウンドブロックから３０ブロックを読み出した後、１５０サウンドブロック戻った箇所から３０サウンドブロックの読み出しを繰り返し、読み出したデータをデコーダ３、音声再生回路４、Ｄ／Ａ変換回路６を介してスピーカ８に入力する（ステップ２０３）。一方、画像については、ＣＰＵ１１は、当初の２５秒間は動画メモリ２の画像ブロックの４フレームデータ中に１フレームデータの割合でデータを逆方向に読み出し、２５秒経過後は１２０フレーム中に１フレームの割合で同一データを繰り返し読み出し、読み出したデータをデコーダ３、画像再生回路５、Ｄ／Ａ変換回路７を介して表示・操作部９に入力する（ステップ３０４）。
【００４７】
これにより、図１４に示すように、例えば、音声は一秒再生後、５秒前に戻り１秒再生を繰り返し、画像は当初の２５秒間は現在再生中の部分から４倍速の早巻戻しが実施され、２５秒経過後は、４秒間隔で静止画が表示部１４に表示される。
この巻戻し動作中、上記と同様に、ＣＰＵ１１は巻戻し釦１５がオフされたか否かを常時判定しており（ステップ３０５）、巻戻し釦１５が押下されたままであれば、巻戻し動作を継続し、巻戻し釦１５がオフになれば、その時点で巻戻し動作を中止してプログラムを終了し、通常の再生状態に戻る。
【００４８】
また、ステップ３０２において、早送り釦１６が押下されたと判別した場合、ＣＰＵ１１は動画メモリ２の音声ブロックの中の再生中のサウンドブロックから３０ブロックを読み出した後、１２０サウンドブロック進んだ箇所から３０サウンドブロックの読み出しを繰り返し、読み出したデータをデコーダ３、音声再生回路４、Ｄ／Ａ変換回路６を介してスピーカ８に入力する。一方、画像データは、当初の２５秒間は５フレームデータ中に１フレームデータの割合でデータを正方向に読み出し、２５秒経過後は、動画メモリ２の画像ブロックの１５０フレーム中に１フレームの割合で同一データを繰り返し読み出し、読み出したデータをデコーダ３、画像再生回路５、Ｄ／Ａ変換回路７を介して表示・操作部９に入力する。
【００４９】
これにより、図１５に示すように、例えば、音声は一秒再生後、４秒先に進み１秒再生を繰り返し、画像は当初の２５秒間は、現在再生中の部分から５倍速の早送りが実施され、２５秒経過後は、５秒間隔で静止画が表示部１４に表示され、静止画付近の音声を出力することができる。
この早送り動作中、同様に、ＣＰＵ１１は早送り釦１６がオフされたか否かを常時判定しており（ステップ３０８）、早送り釦１６が押下されたままであれば、早送り動作を継続し、早送り釦１６がオフになれば、その時点で早送り動作を中止してプログラムを終了し、通常の再生状態に戻る。
【００５０】
この実施例の場合も、図８と同様な時間設定画面により、静止画像のコマ送りを開始するまでの時間、図１４のＴ１及び図１５のＴ２を変更できるようにすることも可能である。
【００５１】
次に、スキップ釦により画像及び音声をスキップする場合の作用について、図１６のフローチャートを用いて説明する。
制御装置１のＣＰＵ１１は動画再生中、同様に、図１６のフローチャートに示すプログラムを繰り返し実行しており、プログラムを開始すると、ＣＰＵ１１は、前スキップ釦１８が押下されたか否かを判別し（ステップ４０１）、前スキップ釦１８が押下されていないと判別した場合には、ステップ４０１に戻る。
【００５２】
一方、ステップ４０１において、前スキップ釦１８が押下されたと判別した場合、ＲＡＭ１３に記憶されているスキップ回数Ｎを１にする（ステップ４０２）。次に、ＣＰＵ１１は動画メモリ２の音声ブロックの中の再生中のサウンドブロックから７２０サウンドブロック進んだ箇所から３０サウンドブロックを読み出し、読み出したデータをデコーダ３、音声再生回路４、Ｄ／Ａ変換回路６を介してスピーカ８に入力する（ステップ４０３）。これと同時に、ＣＰＵ１１は動画メモリ２の画像ブロックの７５０フレーム進んだ箇所の１フレームを一秒間読み出し、読み出したデータをデコーダ３、画像再生回路５、Ｄ／Ａ変換回路７を介して表示・操作部９に入力する（ステップ４０４）。これにより、図１７に示すように、２４秒後の音声が一秒再生されるとともに、２５秒後の画像が静止画として表示される。
【００５３】
このスキップ動作中、ＣＰＵ１１はこのスキップ処理が完了したか否かを常時判別しており（ステップ４０５）、スキップ処理が完了していない場合、ＣＰＵ１１は前スキップ釦１８が押下されたか否かを判別する（ステップ４０６）。前スキップ釦１８が押下されていないと判別した場合には、ステップ４０５に戻り、前スキップ釦１８が押下されたと判別した場合、ＣＰＵ１１はＲＡＭ１３に記憶されているスキップ回数Ｎに１を加算した値をＲＡＭ１３に新たに記憶した（ステップ４０７）後、ステップ４０５に戻る。
【００５４】
一方、ステップ４０５において、スキップ処理が完了したと判別した場合、ＣＰＵ１１はＲＡＭ１３に記憶されているスキップ回数Ｎから１を減算した値を新たにＲＡＭ１３に記憶する（ステップ４０８）。次に、ＣＰＵ１１はＲＡＭ１３に記憶されているスキップ回数Ｎが０か否かを判別し（ステップ４０９）、０でない場合には、ステップ４０３に戻り、再びスキップして音声１秒再生及び静止画表示を行う。また、ステップ４０９において、Ｎが０であると判別した場合は、プログラムを終了し、通常の再生状態に戻る。
このように、前スキップ釦１８を複数回押すことにより、押した回数だけスキップすることができるので、所望の再生位置にすばやく移動することが可能となる。
【００５５】
また、後スキップについても同様に行うことにより、図１８に示すように、２５秒前の音声を一秒再生するとともに、２５秒前の画像を静止画として表示することができるが、その作用は図１６のフローチャートと同様であるので、詳細な説明を省略する。
これらの実施例の場合も、図８と同様な時間設定画面により、図１７のスキップ時間Ｔ３や図１８の巻戻しスキップのスキップ時間Ｔ４及び音声再生時間を変更できるようにすることも可能である。
【００５６】
また、上記の実施例では、巻戻し釦、早送り釦とスキップ釦を別々に設けたが、巻戻し釦、早送り釦とスキップ釦を兼用し、巻戻し釦、早送り釦を短押しした場合にスキップと判断するようにすることも可能であり、また、一つのスキップ釦を設け、このスキップ釦と巻戻し釦または早送り釦のいずれかが同時に押されたとき、後ろまたは前のスキップと判断し、さらにはこの同時に押された時間に応じてスキップ時間を変更することもでき、このようにすれば、一押しで任意の時点にスキップすることが可能となる。
【００５７】
さらに、上記実施例では、巻戻し釦、早送り釦及びスキップ釦を表示・操作部に機械的な釦として設けたが、表示部にこれらの釦を表示し、表示された釦を押下することにより、各機能を実施することも可能であり、また、表示・操作部とは別にリモコンを装備し、このリモコンから巻戻し等の指示を行うようにすることも可能である。
また、上記実施例では、動画を記憶するメモリを使用したが、メモリを使用せず、ＨＤＤ等の外部記憶手段から直接動画を読み出す場合にも、本発明の動画再生装置を適用することが可能である。
【図面の簡単な説明】
【００５８】
【図１】動画再生装置の構成を示すブロック図である。
【図２】動画メモリの画像データと音声データの記憶状態を示す図である。
【図３】サウンドブロックの記憶状態を示す図である。
【図４】表示・操作パネルを示す図である。
【図５】動画再生中に巻戻し、または早送りを行う場合の作用を示すフローチャートである。
【図６】巻戻し時の画像と音声の再生状況を示す図である。
【図７】早送り時の画像と音声の再生状況を示す図である。
【図８】巻戻し時間設定画面を示す図である。
【図９】画像の早送り速度をユーザが設定する場合の画像と音声の再生状況を示す図である。
【図１０】巻戻し、または早送り時に画像をコマ送りする場合の作用を示すフローチャートである。
【図１１】巻戻し時の画像と音声の再生状況を示す図である。
【図１２】早送り時の画像と音声の再生状況を示す図である。
【図１３】巻戻しまたは早送り中、当初は画像を連続的に変化させ、一定時間後から画像をコマ送りする場合の作用を示すフローチャートである。
【図１４】巻戻し時の画像と音声の再生状況を示す図である。
【図１５】早送り時の画像と音声の再生状況を示す図である。
【図１６】画像及び音声をスキップする場合の作用を示すフローチャートである。
【図１７】前スキップ時の画像と音声の再生状況を示す図である。
【図１８】後スキップ時の画像と音声の再生状況を示す図である。
【符号の説明】
【００５９】
１  制御部
２  動画メモリ
３  デコーダ
４  音声再生回路
５  画像再生回路
６、７  Ｄ／Ａ変換回路
８  スピーカ
９  表示・操作部
１１  ＣＰＵ
１２  ＲＯＭ
１３  ＲＡＭ
【図１】
2006060752.tif 000003
【図２】
2006060752.tif 000004
【図３】
2006060752.tif 000005
【図４】
2006060752.tif 000006
【図５】
2006060752.tif 000007
【図６】
2006060752.tif 000008
【図７】
2006060752.tif 000009
【図８】
2006060752.tif 000010
【図９】
2006060752.tif 000011
【図１０】
2006060752.tif 000012
【図１１】
2006060752.tif 000013
【図１２】
2006060752.tif 000014
【図１３】
2006060752.tif 000015
【図１４】
2006060752.tif 000016
【図１５】
2006060752.tif 000017
【図１６】
2006060752.tif 000018
【図１７】
2006060752.tif 000019
【図１８】
2006060752.tif 000020